(57)【要約】【課題】浴室１に設けた赤外線センサ等の人体センサ３の検知情報に基づいて入浴者の動きを監視し、入浴者の異常の有無を判別する監視装置２を利用して、泥棒が浴室から家屋内に侵入することを防止できるようにした低コストのセキュリティシステムを提供する。【解決手段】監視装置２の運転モードとしてセキュリティモードを選択可能とする。セキュリティモードでは、監視装置２が浴室への人の侵入を検知したときに、警報手段７や通報手段８や浴室１の扉１ａを閉じ状態にロックする扉ロック手段９といった侵入者対策のためのセキュリティ手段を作動させる。【選択図】  図１
2004348387.tif 000002
【特許請求の範囲】
【請求項１】
入浴者の動きを監視して入浴者の異常の有無を判別する監視装置を具備する浴室のセキュリティシステムであって、監視装置の運転モードとしてセキュリティモードを選択可能とし、セキュリティモードでは、監視装置が浴室への人の侵入を検知したときに、侵入者対策のためのセキュリティ手段を作動させることを特徴とする浴室のセキュリティシステム。
【請求項２】
セキュリティ手段として、視覚的または聴覚的に感知可能な警報を発生する警報手段と、所定の連絡先に通報する通報手段と、浴室の扉を閉じ状態にロックする扉ロック手段との少なくとも一つを備えることを特徴とする請求項１に記載の浴室のセキュリティシステム。
【発明の詳細な説明】
【０００１】
【発明の属する技術分野】
本発明は、泥棒が浴室から家屋内に侵入することを防止する浴室のセキュリティシステムに関する。
【０００２】
【従来の技術】
従来、家屋の安全管理のために、火災検知器、ガス漏れ検知器、ドアや窓が開けられたことを検知する防犯検知器等の異常検知手段を家屋の各所に配置し、異常検知手段で異常を検知したときに警報器を作動させると共に、警備機関に異常の発生を報知するようにしたトータルセキュリティシステムが知られている（例えば、特許文献１参照。）。
【０００３】
ところで、浴室は家屋の裏側に設けられることが多く、人目を避けられることから、泥棒の侵入口として浴室が狙われ易い。そのため、浴室廻りのみの防犯を希望する人も多いが、現状では、これらの人も家屋全体を対象にした上記トータルセキュリティシステムに加入せざるを得ず、コスト的に大きな負担が掛かっている。
【０００４】
尚、従来、入浴中に身体に異常を来たしたときの対策として、浴室に配置したカメラや赤外線センサ等の人体を検出可能な人体検出手段の検出情報に基づいて入浴者の動きを監視し、一定時間継続して入浴者の動きが無かった場合には、入浴者に異常が発生したと判断して、給湯器用リモコンで警報音或いは音声により異常が生じたことを家人に報知するようにした浴室用の監視装置が知られている（例えば、特許文献２参照。）。
【０００５】
【特許文献１】
特開２００２−１８３８５２号公報
【特許文献２】
特開２００２−１５０４４７号公報
【０００６】
【発明が解決しようとする課題】
上記した浴室用の監視装置によれば、浴室に人が侵入すればこれを検知できる。
【０００７】
そこで、本発明は、浴室用の監視装置を利用して、浴室から家屋内に泥棒が侵入することを防止できるようにした低コストのセキュリティシステムを提供することをその課題としている。
【０００８】
【課題を解決するための手段】
上記課題を解決するために、本発明は、入浴者の動きを監視して入浴者の異常の有無を判別する監視装置を具備する浴室のセキュリティシステムであって、監視装置の運転モードとしてセキュリティモードを選択可能とし、セキュリティモードでは、監視装置が浴室への人の侵入を検知したときに、侵入者対策のためのセキュリティ手段を作動させることを特徴とする。
【０００９】
この場合、セキュリティ手段として、視覚的または聴覚的に感知可能な警報を発生する警報手段と、所定の連絡先に通報する通報手段と、浴室の扉を閉じ状態にロックする扉ロック手段との少なくとも一つを設けることが望ましい。
【００１０】
上記の構成によれば、外出時や夜間等にセキュリティモードで監視装置を運転しておくことにより、浴室に泥棒が侵入したときは、セキュリティ手段、例えば、警報手段が作動され、警報で泥棒を驚かせて家屋内への侵入を諦めさせることができる。更に、通報手段により警備会社や隣家といった所定の連絡先に通報することで、連絡先から人が駆けつける等して適切な対応を取ることができる。更に、扉ロック手段により浴室の扉を閉じ状態にロックすることで、浴室から家屋内に侵入することを物理的に阻止することもできる。
【００１１】
何れにしても、入浴中に身体に異常を来たしたときの対策として設けられている監視装置を利用して、浴室からの泥棒の侵入対策を講ずることができ、コスト負担が軽くなる。
【００１２】
【発明の実施の形態】
図１を参照して、１は浴室を示している。浴室１の上部には、赤外線センサ等から成る人体センサ３が設けられており、人体センサ３の検出データをコントローラ４に送信している。コントローラ４は、通常は、人体センサ３の検出データに基づいて入浴者の動きを監視し、一定時間継続して入浴者の動きが無かった場合には、入浴者が寝ているか又は倒れていると判断して、浴室１内に設けた給湯器用リモコン（以下、風呂リモコンと記す）５で警報音或いは音声により注意を喚起し、それでも入浴者の動きが所定時間無い場合には、浴室１以外の場所に配置する給湯器用リモコン（以下、台所リモコンと記す）６で警報音或いは音声により家人に異常が生じたことを報知する。かくして、人体センサ３とコントローラ４とにより、入浴者の動きを監視して入浴者の異常の有無を判別する監視装置２が構成される。
【００１３】
また、台所リモコン６には、給湯や湯張りのための各種操作ボタンに加えてセキュリティスイッチ６ａが設けられており、セキュリティスイッチ６ａをオンすると、セキュリティモードで監視装置２が運転される。セキュリティモードでの運転時は、図２に示す如く、人体センサ３の検出データに基づいて、コントローラ４が浴室１内への人の侵入を検知したとき（Ｓ１）、侵入者対策のためのセキュリティ手段が作動される（Ｓ２，Ｓ３，Ｓ４）。
【００１４】
本実施形態では、セキュリティ手段として、警報手段７と通報手段８と扉ロック手段９とが設けられている。警報手段は、屋内または屋外に配置された、聴覚的に感知可能な警報を発生するブザー、サイレン等の警報音発生器や視覚的に感知可能な警報を発生する非常灯で構成される。尚、非常灯に代えて、外灯を点滅や赤色で点灯させるようにしても良い。また、浴室リモコン５及び台所リモコン６に内蔵するスピーカを警報手段として利用し、これらリモコンで警報音を発生させるようにしても良い。
【００１５】
通報手段８は、電話回線やインターネット等のネットワーク１０を介して警備会社や隣家等の一つ又は複数の連絡先に泥棒の侵入を通報するように構成されている。
【００１６】
扉ロック手段９は、浴室１の扉１ａを閉じ状態にロックするものである。本実施形態では、扉ロック手段９を浴室１の入口部の壁面に組み込んだ電磁プランジャで構成し、電磁プランジャのピン９ａが扉１ａに形成したロック孔に嵌合して、扉１ａが閉じ状態にロックされるようにしている。
【００１７】
以上の構成によれば、外出時や夜間等に泥棒が浴室１の窓１ｂから浴室１に侵入しても、セキュリティスイッチ６ａをオンして、監視装置２をセキュリティモードで運転させておくことにより、浴室１への泥棒の侵入を検知して、警報手段７や通報手段８を作動させることができる。更に、扉ロック手段９を作動させて、浴室１の扉１ａを閉じ状態にロックし、浴室１から屋内に侵入することを防止できる。
【００１８】
尚、浴室リモコン５にセキュリティスイッチを設けることも可能であるが、この場合には、セキュリティスイッチをオンしてからセキュリティモードでの運転が開始されるまでに所定の遅れ時間を持たせ、セキュリティスイッチを操作した人が浴室１から出た後にセキュリティモードでの運転が開始されるようにする。また、当然ではあるが、セキュリティモードの解除は台所リモコン６だけで行い得られるようにする。
【００１９】
また、トータルセキュリティシステムに加入している場合には、セキュリティモードでの運転時に、浴室１内に人が居ることを検知したとき、コントローラ４によりトータルセキュリティシステム用の制御盤を介してトータルセキュリティシステムのセキュリティ手段を作動させるようにしても良い。
【００２０】
また、監視装置２用の人体センサ３としては、赤外線センサ以外にもＣＣＤカメラや人口網膜等の光学機器、或いは、浴室床面に配置する静電容量センサといった各種センサを用いることができる。
【図面の簡単な説明】
【図１】本発明セキュリティシステムの実施形態の構成図。
【図２】セキュリティモードでの運転時の処理を示すフロー図。
【符号の説明】
１…浴室、１ａ…扉、２…監視装置、７…警報手段、８…通報手段、９…扉ロック手段
【図１】
2004348387.tif 000003
【図２】
2004348387.tif 000004